(57)【要約】【課題】  ワークフローを用いて撮影を行う際の操作者の熟練度を評価する指標を算出し通知するX線画像診断装置を提供する。【解決手段】  本発明のX線画像診断装置は、予め定められたワークフローを用いて被検体のX線画像を取得する際に要した検査時間を算出する検査時間算出部及び/又は被検体のX線画像を取得する際に前記被検体に照射したX線照射線量を算出するX線照射線量算出部と、検査時間算出部により算出された検査時間及び/又はX線照射線量算出部により算出されたX線照射線量と、予め基準値として記憶されたワークフロー毎の検査時間の中から前記ワークフローに対応する検査時間及び/又はX線照射線量を抽出し、当該抽出した検査時間及び/又はX線照射線量と検査時間算出部及び/又はX線照射線量算出部により算出された検査時間及び/又はX線照射線量を比較し、該比較による結果を表示部に表示させる評価処理部と、を有する。【選択図】          図3
2017042219.tif 000002
【特許請求の範囲】
【請求項１】
被検体のＸ線画像データを取得するＸ線画像データ取得部と、前記Ｘ線画像データ取得部によって取得されたＸ線画像データを用いてＸ線画像を生成するＸ画像処理部と、予め定められたワークフローを用いて前記被検体のＸ線画像を取得する際に要した検査時間を算出する検査時間算出部と、前記検査時間算出部により算出された検査時間と、予め基準値として記憶されたワークフロー毎の検査時間の中から前記ワークフローに対応する検査時間を抽出し、当該抽出した検査時間と前記検査時間算出部により算出された検査時間を比較し、該比較による結果を表示部に表示させる評価処理部と、を有すること、
を特徴とするＸ線画像診断装置。
【請求項２】
被検体のＸ線画像データを取得するＸ線画像データ取得部と、前記Ｘ線画像データ取得部によって取得されたＸ線画像データを用いてＸ線画像を生成するＸ画像処理部と、予め定められたワークフローを用いて前記被検体のＸ線画像を取得する際に前記被検体に照射したＸ線照射線量を算出するＸ線照射線量算出部と、前記Ｘ線照射線量算出部により算出されたＸ線照射線量と、予め基準値として記憶されたワークフロー毎のＸ線照射線量の中から前記ワークフローに対応するＸ線照射線量を抽出し、当該抽出したＸ線照射線量と前記Ｘ線照射線量算出部により算出されたＸ線照射線量を比較し、該比較による結果を表示部に表示させる評価処理部と、を有すること、
を特徴とするＸ線画像診断装置。
【発明の詳細な説明】
【技術分野】
【０００１】
本発明は、X線画像診断装置に関し、予め定められたワークフローに基づいて当該装置を操作する操作者への評価通知に関する。
【背景技術】
【０００２】
特定の撮影項目を漏れなく行うために予め定められたワークフローを用いて所望のX線画像を取得している。特許文献1には、予め被検体一人当たりに設定された撮影枚数に対し、実際に撮影された枚数が達しているかを判定する手段を備えたX線透視撮影システムについて記載されている。
【先行技術文献】
【特許文献】
【０００３】
【特許文献１】特開2009-22605号公報
【発明の概要】
【発明が解決しようとする課題】
【０００４】
予め定められたワークフローを用いて撮影を行っていても、操作者により被検体一人当たりに要する検査時間などにばらつきがある。特に経験の浅い操作者の場合、撮影に要する時間が熟練の操作者に対し長いという傾向にある。
【０００５】
本発明の目的は、操作者毎の熟練度を客観的に評価する指標を操作者に通知することで、操作者の技量向上を見込めることができるX線画像診断装置を提供することである。
【課題を解決するための手段】
【０００６】
前記課題を解決するために、本発明に係るX線画像診断装置は、被検体のX線画像データを取得するX線画像データ取得部と、X線画像データ取得部によって取得されたX線画像データを用いてX線画像を生成するX画像処理部と、予め定められたワークフローを用いて被検体のX線画像を取得する際に要した検査時間を算出する検査時間算出部及び/又は被検体のX線画像を取得する際に前記被検体に照射したX線照射線量を算出するX線照射線量算出部と、検査時間算出部により算出された検査時間及び/又はX線照射線量算出部により算出されたX線照射線量と、予め基準値として記憶されたワークフロー毎の検査時間の中から前記ワークフローに対応する検査時間及び/又はX線照射線量を抽出し、当該抽出した検査時間及び/又はX線照射線量と検査時間算出部及び/又はX線照射線量算出部により算出された検査時間及び/又はX線照射線量を比較し、該比較による結果を表示部に表示させる評価処理部と、を有することを特徴とする。
【発明の効果】
【０００７】
本発明のX線画像診断装置によれば、当該装置を操作する操作者の技量向上を見込めるX線画像診断装置を提供することができる。
【図面の簡単な説明】
【０００８】
【図１】本発明のX線画像診断装置の概略構成図。
【図２】本発明のX線画像データ取得部の詳細を説明するための図。
【図３】本発明の制御部の詳細を説明するための図。
【図４】本発明のX線画像診断装置における評価結果の表示例を説明するための図。
【図５】本発明のX線画像診断装置の動作順を説明するための図。
【発明を実施するための形態】
【０００９】
以下、添付図面に従って本発明のX線画像診断装置について説明する。
【００１０】
なお、発明の実施形態を説明するための全図において、同一機能を有するものは同一符号を付け、その繰り返しの説明は省略する。図1は、本発明のX線画像診断装置の概略構成を示した図である。
【００１１】
本発明の本発明のX線画像診断装置1は、被検体100のX線画像データを取得するX線画像データ取得部101と、X線画像データ取得部101によって取得されたX線画像データを用いてX線画像を生成するX画像処理部102と、X線画像処理部102によって生成されたX線画像を記憶する記憶部103と、予め定められたワークフローを用いて被検体100のX線画像を取得する際に要した検査時間を算出する検査時間算出部104と、その際、被検体100に照射したX線照射線量を算出するX線照射線量算出部105と、検査時間算出部104及び／又はX線照射線量算出部105により算出された値を用いて操作者の熟練度を評価する評価処理部106と、X線画像処理部102によって生成されたX線画像、記憶部103に記憶されたX線画像、評価処理部106によって評価された評価結果など、を表示する表示部107と、これら各構成要素を制御する制御部108と、制御部108に対して指令を行なう操作部109と、を備える。
【００１２】
X線画像処理部102は、後述するX線検出器から出力されたX線信号を画像処理し、画像処理されたX線画像を出力する。画像処理は、ガンマ変換、階調変換処理、画像の拡大・縮小等である。
【００１３】
次に、図2を用いて本発明のX線画像データ取得部101の詳細について説明する。
【００１４】
本発明のX線画像データ取得部101は、被検体100を乗せる寝台201と、被検体100にX線を照射するX線発生部202と、X線発生部202に電力供給を行なう高電圧発生部203と、X線発生部202に対向する位置に配置され、被検体100を透過したX線を検出するＸ線検出器210と、被検体100に対するX線照射領域を設定するX線絞り装置204と、X線発生部202を支持する支柱205と、支柱205を移動させX線発生部202を寝台201の短手方向(以後、Y方向)に移動可能とさせる支柱移動機構部206と、寝台201及び支柱移動機構部206を支持し、寝台201及び支柱移動機構部205を寝台201の長手方向(以後、X方向)に移動可能とさせる支持枠207と、支持枠207を支持する連結部208と、連結部208を床面に対し鉛直となる方向(以後、Z方向)、に移動させることにより、寝台201及びX線発生部202をZ方向に移動させ、また、寝台201及びX線発生部202を、Y方向を軸とした回転方向に回転移動可能とさせる連結部移動機構209と、を備える。
【００１５】
X線発生部202は、高電圧発生部203から電力供給を受けてX線を発生させるX線管球を有する。また、X線発生部202には、特定のエネルギーのX線を選択的に透過させるX線フィルタなどを有していてもよい。
【００１６】
X線絞り装置204は、X線発生部202から発生したX線を遮蔽する可動制限羽根を複数有し、複数の可動制限羽根(特に図示しない)をそれぞれ制御することにより移動し、被検体に対するX線照射領域を決定する。Ｘ線検出器210は、例えば、X線を検出する複数の検出素子が二次元アレイ状に配置されて構成されており、X線発生部202から照射され、被検体を透過したX線の入射量に応じたX線信号を検出する機器である。
【００１７】
また、上記、複数の種移動機構はそれぞれモーターにより駆動され、操作者が操作部を用いてこれら複数の種移動機構を操作することができる。複数の種移動機構を備えることで被検体100を所望の体位に配置することができる一方、操作者により技量の差が出る部分でもある。
【００１８】
次に、図3を用いて本発明の制御部108の詳細について説明する。
【００１９】
本発明の制御部108は、操作者設定部300、被検体設定部301、撮影条件設定部302、撮影終了選択部303、を有している。
【００２０】
操作者設定部300は、予め登録されている複数の操作者を表示部107に表示させる。操作者により表示された操作者リストの中から、一の操作者が選択されると、操作者設定部300は選択された操作者が、これからX線画像診断装置1の操作を行う操作者としてX線画像診断装置1内に設定する。
【００２１】
被検体設定部301は、院内に設置されたサーバ304から撮影の予約のある被検体のリストを受け取り、表示部107に表示させる。操作者により表示された被検体リストの中から、一の被検体が選択されると被検体設定部301は選択された被検体をこれから撮影を行う被検体として、その被検体情報をサーバ304から受け取りX線画像診断装置1内に設定する。
【００２２】
被検体の情報には被検体IDや氏名、年齢の他、当該被検体に必要な撮影項目が含まれており、被検体設定部301は、これら被検体ID、氏名、年齢、撮影項目に加え、この撮影項目に対応したワークフローも表示部107に表示する。ワークフローには例えば、立位や臥位といった各種体位からその際の取得部位といったものが時系列に表示される。操作者はワークフローを確認しながら撮影を進めることができる。
【００２３】
本実施例では時系列で示したワークフローを表示部107に表示させることについて説明したがこれに限定されることはない。たとえば、対応するワークフローの番号のみを表示し、別途、ペーパーなどで上記番号に対応したワークフローを用意しいておいてもよい。
【００２４】
検査時間算出部104は、被検体設定部301により撮影を行う被検体情報が設定されたことを基準とし、検査時間の計測を開始する。
【００２５】
操作者は、提示されたワークフローに沿って撮影を進めることで設定された被検体で必要とされるX線画像を取得することができる。ワークフローで示された撮影条件を撮影条件設定部302により表示部107に表示された複数種の撮影条件から選択することで、撮影条件設定部302が選択された撮影条件に対応する予め決められたX線管球に印加する管電圧及び管電流をセットする。
【００２６】
操作部109に備えられたX線照射ボタン(特に図示しない)が操作者により押下されると、撮影条件設定部302により設定された管電圧及び管電流にて被検体100に対しX線が照射される。ワークフローに示されたすべてのX線画像の取得を終えたと操作者が判断し、撮影終了選択部303により表示部107に表示された撮影終了ボタンを選択すると、それまでワークフローに沿って取得されたX線画像は被検体設定部301で設定された被検体と紐付され記憶部103に記憶される。
【００２７】
また、検査時間算出部104では検査時間の計測が終了され、当該検査に要した時間が算出される。さらに、これら一連の撮影に要した全てのX線照射線量がX線照射線量算出部105により算出される。
【００２８】
評価処理部106は、予め基準値として記憶されたワークフロー毎のX線照射線量と検査時間の中から被検体設定部301により設定されたワークフローに対応するX線照射線量と検査時間を抽出し、当該抽出したX線照射線量と検査時間をX線照射線量算出部105により算出されたX線照射線量と、検査時間算出部104により算出された検査時間と、でそれぞれ差分値を取り、操作者設定部300により設定された操作者毎に表示部107を用いて評価結果として通知することで、操作者毎の熟練度を客観的に評価することができる。また、これにより操作者の技量向上を見込めることができる。
【００２９】
図4に表示部107に表示する評価結果の一例を示す。
【００３０】
対象となる操作者と、検査時間・X線照射線量の基準値、計測値、差分値、評価結果などが表になって表示される。評価結果はたとえばA〜Cの3段階表示などを用い、基準値に対し予め定めた所定の範囲内であればB評価とし、それよりも時間が短縮されている場合や、X線照射線量が少ない場合はA評価、それ以外はC評価というような評価結果が表示される。また、1日毎、又は予め定めた所定の日数ごとの平均をグラフ化している。これにより自身の技量が向上しているか否かを操作者が確認することができる。
【００３１】
次に、図5を用いて本発明のX線画像診断装置1の動作順について説明する。
【００３２】
ステップS501では、X線画像診断装置1の主電源がONになるとステップS502に進む。
【００３３】
ステップS502では、操作者が表示部107に表示された操作者リストの中から、自身を操作者として選択する。選択されるとステップS503に進む。
【００３４】
ステップS503では、操作者が表示部107に表示された被検体リストの中から、こらから撮影を行う被検体を選択する。選択されるとステップS504に進む。
【００３５】
ステップS504では、被検体設定部301により検査時間の計測を開始される。
【００３６】
ステップS505では、操作者により撮影が開始され、その中でX線が照射された場合はS506に進む。
【００３７】
ステップS506では、X線照射線量算出部105によりX線照射線量が算出される。
【００３８】
ステップS507では、操作者により撮影終了ボタンが選択されるとステップS508に進む。
【００３９】
ステップS508では、検査時間算出部104による検査時間の計測を終了し、当該検査に要した時間が算出される。
【００４０】
ステップS509では、X線照射線量算出部105により当該検査の撮影の中で要した全てのX線照射線量が算出される。
【００４１】
ステップS510では、評価処理部106により、X線照射線量算出部105により算出されたX線照射線量と、検査時間算出部104により算出された検査時間を、当該検査に対応する予め記憶された基準値と差分することにより比較しその結果を表示部107に表示する。
【００４２】
ステップS511では、X線画像診断装置1の主電源がONのままであればステップS502に戻り、OFFであれば終了する。
【００４３】
以上、本発明のX線画像診断装置1は、検診に要した時間とその際被検体に照射したX線照射線量を算出する検査時間算出部104及びX線照射線量算出部105と、これら検査時間算出部104及びX線照射線量算出部105により算出された値と、予め基準値として記憶された値と、を比較し、操作者の熟練度を評価する指標として表示部107を用いて操作者に通知する評価処理部106を有することで操作者毎の熟練度を客観的に評価することができる。
【００４４】
また、本発明のX線画像診断装置1はこれに限定されない。上記実施例ではX線照射線量と検査時間の双方を用いて評価する例について説明したが、どちらか一方であってもよい。
【符号の説明】
【００４５】
1  X線画像診断装置、100  被検体、101  X線画像データ取得部、102  X画像処理部、103  記憶部、104  検査時間算出部、105  X線照射線量算出部、106  評価処理部、107  表示部、108  制御部、109  操作部、201  寝台、202  X線発生部、203  高電圧発生部、204  X線絞り装置、205  支柱、206  支柱移動機構部、207  支持枠、208  連結部、209  連結部移動機構、210  X線検出器、300  操作者設定部、301  被検体設定部、302  撮影条件設定部、303  撮影終了選択部、304  サーバ
【図１】
2017042219.tif 000003
【図２】
2017042219.tif 000004
【図３】
2017042219.tif 000005
【図４】
2017042219.tif 000006
【図５】
2017042219.tif 000007